(57)【要約】【課題】照明装置の輝度や色度のばらつきを低減する。【解決手段】本発明の照明装置１０は、略矩形の第１導光部１３と、前記第１導光部のいずれか一辺に沿って配置され前記第１導光部に光を放出する第２導光部１２と、前記第２導光部に光を放出する単一の発光素子１１と、を有し、前記第２導光部は、前記発光素子の光放出面と対向配置され、前記対向する面から前記一辺に沿って遠ざかるに従って幅が狭くなる楔形を有し、前記発光素子から放出された光を前記一辺に沿って導きつつ、該一辺に沿った方向に分散させて前記一辺と交差する伝播方向に光を偏向させ、前記第１導光部は、該第２導光部から放出された光を前記伝播方向に導きつつ、前記伝播方向に分散させて前記一辺方向及び前記伝播方向と交差する出射方向に光を偏向させ、面状光源を構成することを特徴とする。【選択図】図１
2008047481.tif 000002
【特許請求の範囲】
【請求項１】
略矩形の第１導光部と、前記第１導光部のいずれか一辺に沿って配置され前記第１導光部に光を放出する第２導光部と、前記第２導光部に光を放出する単一の発光素子と、を有し、
前記第２導光部は、前記発光素子の光放出面と対向配置され、前記対向する面から前記一辺に沿って遠ざかるに従って幅が狭くなる楔形を有し、前記発光素子から放出された光を前記一辺に沿って導きつつ、該一辺に沿った方向に分散させて前記一辺と交差する伝播方向に光を偏向させ、
前記第１導光部は、該第２導光部から放出された光を前記伝播方向に導きつつ、前記伝播方向に分散させて前記一辺方向及び前記伝播方向と交差する出射方向に光を偏向させ、面状光源を構成することを特徴とする照明装置。
【請求項２】
前記発光素子は、前記一辺方向及び前記伝播方向に沿った平面範囲の角部に配置され、前記第２導光部に対向する光放出面と該光放出面の反対側に設けられた実装面とを備えてなり、該実装面が放熱体に熱接触していることを特徴とする請求項１に記載の照明装置。
【請求項３】
前記放熱体は前記発光素子、前記第１導光部及び前記第２導光部の背後及び周囲を取り巻くケース体を構成していることを特徴とする請求項２に記載の照明装置。
【請求項４】
前記発光素子の前記実装面が実装されてなる光源基板をさらに具備し、該光源基板が前記放熱体に対して熱伝導部材を介して熱接触するとともに、前記放熱体は前記発光素子の前記実装面に隣接する位置に開口部を備え、該開口部を通して前記光源基板が前記放熱体の外側へ導出されていることを特徴とする請求項３に記載の照明装置。
【請求項５】
液晶表示体と、前記液晶表示体に対向して配置された当該液晶表示体に光を放出する第１導光部と、前記第１導光部のいずれか一辺に沿って配置され前記第１導光部に光を放出する第２導光部と、前記第２導光部に光を放出する単一の発光素子と、を有し、
前記第２導光部は、前記発光素子の光放出面と対向配置され、前記対向する面から前記一辺に沿って遠ざかるに従って幅が狭くなる楔形を有し、前記発光素子から放出された光を前記一辺に沿って導きつつ、該一辺に沿った方向に分散させて前記一辺と交差する伝播方向に光を偏向させ、
前記第１導光部は、該第２導光部から放出された光を前記伝播方向に導きつつ、前記伝播方向に分散させて前記一辺方向及び前記伝播方向と交差する出射方向に光を偏向させ、面状光源を構成することを特徴とする液晶装置。
【請求項６】
前記発光素子は、前記一辺方向及び前記伝播方向に沿った平面範囲の角部に配置され、前記第２導光部に対向する光放出面と該光放出面の反対側に設けられた実装面とを備えてなり、該実装面が放熱体に熱接触していることを特徴とする請求項５に記載の液晶装置。
【請求項７】
前記液晶表示体に実装された配線基板をさらに具備し、該配線基板は、前記平面範囲の角部から外れた部分において前記第１導光部又は前記第２導光部の外側を通過して背後に引き回されていることを特徴とする請求項６に記載の液晶装置。
【請求項８】
前記液晶表示体に実装された配線基板をさらに具備し、該配線基板は前記第２導光部の外側を通過して背後に引き回され、前記発光素子は前記配線基板が通過する前記一辺の範囲から外れた位置に設置されていることを特徴とする請求項５に記載の液晶装置。
【請求項９】
請求項５乃至８のいずれか一項に記載の液晶装置を搭載したことを特徴とする電子機器。
【発明の詳細な説明】
【技術分野】
【０００１】
本発明は照明装置、液晶装置及び電子機器に係り、特に、発光素子と、この発光素子から放出された光を導く導光体とを含む照明装置の構造に関する。
【背景技術】
【０００２】
一般に、液晶表示体の照明装置として液晶表示体の背後に配置されるバックライトが用いられており、比較的小型のバックライトとしては、ＬＥＤ等の発光素子を導光板の端面に対向配置させてなるサイドライト型の照明装置が用いられることが多い。
【０００３】
このようなサイドライト型の照明装置においては、点光源から放出された光をライトパイプに導入して幅方向に光を広げ、この光を導光板に導入してなる照明方法が知られている（例えば、以下の特許文献１参照）。また、ＬＥＤ等の点光源をライトパイプの両端部にそれぞれ配置し、ライトパイプから導光板へ光を導入するようにしたフロントライトと、このフロントライトの背後に配置された液晶表示体を有する装置が知られている（例えば、以下の特許文献２及び３参照）。
【特許文献１】特開２００２−３２４４０７号公報
【特許文献２】特開２００２−２６９０５６号公報
【特許文献３】特開２００１−３４５００６号公報
【発明の開示】
【発明が解決しようとする課題】
【０００４】
従来のサイドライト型の照明装置においては、図１２に示すように点光源を構成する発光素子１の数が少ない場合には、発光素子１と、導光板２の発光エリアＬとの間に充分なデッドエリアＤを確保しないと導光板２の光出射面２ａから出射する照明光にムラが生じるという問題点があり、特に、導光板２上に光出射面２ａ側に突出するプリズムを有する逆プリズム構造の光学シートを配置する場合には照度ムラが顕著に現れる。また、図１３に示すように複数の発光素子１を導光板の端面に沿って幅方向に配列させる場合には、発光素子１間の輝度や色度のばらつきにより、導光板２の光出射面２ａ上の照明光の輝度や色度にばらつきが発生するという問題点がある。さらに、図１４に示すように上記のライトパイプ２′を介して導光板２へ光を導入する場合には、輝度や色度のばらつきを低減することができる一方で、光の利用効率が低下し輝度が低下するという問題点がある。
【０００５】
ところで、上記のサイドライト型の照明装置は、図１５及び図１６に示すように、液晶表示体４を備えた液晶装置においてバックライトとして用いられる場合がある。この場合においては、上記発光素子１及び導光板２を含む照明装置３の光出射側に液晶表示体４が重ねて配置される。また、液晶表示体４にはフレキシブル配線基板（ＦＰＣ）等よりなる配線基板５が照明装置３の側方を通過して背後に引きまわされる。ここで、図示例では配線基板５は照明装置３の背後に配置された制御基板６に導電接続されている。このような構成では、配線基板５が照明装置３内の発光素子１の外側を通過することとなるため、発光素子１が発する熱が配線基板５によって放散されにくくなることから、発光素子１の環境温度が上昇して劣化を促進させる虞があり、また、図示例のように複数の発光素子１が配列された状態で設置される場合には環境温度の差異により輝度・色度のばらつきが増大する虞もある。
【０００６】
そこで、本発明は上記問題点を解決するものであり、その課題は、発光素子の発光特性及び導光体の導光特性に起因する輝度や色度のばらつきを低減することのできる照明装置を実現することにある。
【課題を解決するための手段】
【０００７】
斯かる実情に鑑み、本発明の照明装置は、略矩形の第１導光部と、前記第１導光部のいずれか一辺に沿って配置され前記第１導光部に光を放出する第２導光部と、前記第２導光部に光を放出する単一の発光素子と、を有し、前記第２導光部は、前記発光素子の光放出面と対向配置され、前記対向する面から前記一辺に沿って遠ざかるに従って幅が狭くなる楔形を有し、前記発光素子から放出された光を前記一辺に沿って導きつつ、該一辺に沿った方向に分散させて前記一辺と交差する伝播方向に光を偏向させ、前記第１導光部は、該第２導光部から放出された光を前記伝播方向に導きつつ、前記伝播方向に分散させて前記一辺方向及び前記伝播方向と交差する出射方向に光を偏向させ、面状光源を構成することを特徴とする。
【０００８】
本発明によれば、単一の発光素子から放出された光を第２導光部により分散させた後に第１導光部により伝播方向に分散させて面状光源として出射させるようにしていることで、輝度や色度のばらつきを低減することができ、均一な照明光を得ることができる。
【０００９】
本発明において、前記発光素子は、前記一辺方向及び前記伝播方向に沿った平面範囲の角部に配置され、前記第２導光部に対向する光放出面と該光放出面の反対側に設けられた実装面とを備えてなり、該実装面が放熱体に熱接触していることが好ましい。これによれば、発光素子が光放出面の反対側に設けられた実装面を有し、この実装面が放熱体に熱接触していることにより、発光素子で発生した熱が効率的に放熱体へと伝導されるとともに、発光素子が外側に配置された放熱体に熱接触しているとともに一辺方向及び伝播方向に沿った平面範囲の角部に配置されていることで、外部への放熱性を高めることができるので、発光素子の熱による劣化、或いは、輝度や色度の経時変化を低減することができる。したがって、発光素子の発光特性及び導光体の導光特性に起因する輝度や色度のばらつきを低減できると同時に、発光素子から発生した熱の放散特性を向上させることができる。
【００１０】
本発明において、前記放熱体は前記発光素子、前記第１導光部及び前記第２導光部の背後及び周囲を取り巻く放熱ケースを構成していることが好ましい。これによれば、放熱体が発光素子、第１導光部及び第２導光部の背後及び周囲を取り巻くケース体を構成していることにより、収容機能を合わせ持つことができるとともに放熱性をさらに高めることが可能になる。
【００１１】
本発明において、前記発光素子の前記実装面が実装されてなる光源基板をさらに具備し、該光源基板が前記放熱体に対して熱伝導部材を介して熱接触するとともに、前記放熱体は前記発光素子の前記実装面に隣接する位置に開口部を備え、該開口部を通して前記光源基板が前記放熱体の外側へ導出されていることが好ましい。これによれば、発光素子が実装された光源基板が放熱体に熱接触するとともに放熱体の開口部を通して光源基板が外側へ導出されることにより、発光素子の放熱性を確保しつつ、放熱体の外側から発光素子に電力を供給することが可能になる。
【００１２】
次に、本発明の液晶装置は、液晶表示体と、前記液晶表示体に対向して配置された当該液晶表示体に光を放出する第１導光部と、前記第１導光部のいずれか一辺に沿って配置され前記第１導光部に光を放出する第２導光部と、前記第２導光部に光を放出する単一の発光素子と、を有し、前記第２導光部は、前記発光素子の光放出面と対向配置され、前記対向する面から前記一辺に沿って遠ざかるに従って幅が狭くなる楔形を有し、前記発光素子から放出された光を前記一辺に沿って導きつつ、該一辺に沿った方向に分散させて前記一辺と交差する伝播方向に光を偏向させ、前記第１導光部は、該第２導光部から放出された光を前記伝播方向に導きつつ、前記伝播方向に分散させて前記一辺方向及び前記伝播方向と交差する出射方向に光を偏向させ、面状光源を構成することを特徴とする液晶装置。この発明によれば、発光素子の発光特性及び導光体の導光特性に起因する輝度や色度のばらつきを低減できる。
【００１３】
本発明において、前記発光素子は、前記一辺方向及び前記伝播方向に沿った平面範囲の角部に配置され、前記第２導光部に対向する光放出面と該光放出面の反対側に設けられた実装面とを備えてなり、該実装面が放熱体に熱接触していることが好ましい。これによれば、発光素子から発生した熱の放散特性を向上させることができる。
【００１４】
本発明において、前記液晶表示体に実装された配線基板をさらに具備し、該配線基板は、前記平面範囲の角部から外れた部分において前記第１導光部又は前記第２導光部の外側を通過して背後に引き回されていることが好ましい。これによれば、配線基板が発光素子の収容箇所を外側から覆うことがないので、発光素子の放熱性が配線基板によって妨げられにくくなるため、発光素子の熱による劣化、或いは、輝度及び色度の変化を抑制できる。
【００１５】
本発明において、前記液晶表示体に実装された配線基板をさらに具備し、該配線基板は前記第２導光部の外側を通過して背後に引き回され、前記発光素子は前記配線基板が通過する前記一辺の範囲から外れた位置に設置されていることが好ましい。これによれば、配線基板が第２導光部の外側を通過していても、発光素子が配線基板の通過する一辺の範囲から外れた位置にあることで、配線基板が発光素子の収容箇所を外側から覆うことがないので、発光素子の放熱性を確保できる。
【００１６】
さらに、本発明の電子機器は、上記のいずれかに記載の液晶装置を搭載したことを特徴とする。これによれば、発光素子の発光特性及び導光体の導光特性に起因する輝度や色度のばらつきを低減できるとともに、発光素子から発生した熱の放散特性を向上させることができるため、液晶表示体の画面の輝度及び色度のばらつき及び経時変化を抑制することができる。
【発明を実施するための最良の形態】
【００１７】
［照明装置］
次に、添付図面を参照して本発明の実施形態について詳細に説明する。図１は本発明に係る照明装置の実施形態を示す平面図である。照明装置１０は、ＬＥＤ（発光ダイオード）等からなる発光素子１１と、この発光素子１１の光放出面１１ａと対向若しくは当接する光入射面１２ａを備えた第２導光体（ライトパイプ）１２と、第２導光体１２の光出射面１２ｂに対向若しくは当接する光入射面１３ａを備えた第１導光体（導光板）１３とを有している。
【００１８】
ここで、第２導光体１２はアクリル樹脂やポリカーボネート樹脂等の透光性素材よりなり、発光素子１１の光放出面１１ａから放出された光を幅方向（図示右方向）Ｗ（後述する第１導光体１３の光入射面が形成されてなる一辺に沿った方向、以下同様。）に伝播させながら徐々に伝播方向（図示上方向）Ｆに偏向させることにより、幅方向に分散させて第２導光体１３に導くように構成されている。図示例では第２導光体１２は一方の端部に設けられた光入射面１２ａから反対側の端部へ向けて楔状に構成され、光出射面１２ｂの反対側の後面１２ｃによって伝播方向Ｆへ光が偏向される。ここで、後面１２ｃは適宜の凹凸構造が設けられて当該偏向特性を奏するものであってもよく、また、一体の傾斜面による全反射作用により当該偏向特性を奏するものであってもよい。
【００１９】
第１導光体１３はアクリル樹脂やポリカーボネート樹脂等の透光性素材よりなり、平面視矩形の板状に構成され、一つの端面（図示下端面）で構成される光入射面１３ａから伝播方向Ｆに光が入射し、内部を同方向Ｆに向けて伝播するようになっている。そして、内部伝播光は徐々に光出射方向（図の紙面と直交する方向）に偏向され、光出射面１３ｂ（図示手前の面）から出射するように構成されている。伝播方向Ｆに進む内部伝播光を光出射方向に偏向させる手段としては、例えば、光出射面１３ｂの反対側にある背面１３ｃ（図示奥側の面）上に構成された凹凸構造や印刷層などが挙げられる。
【００２０】
第１導光体１３の背後には白色ポリエチレンシート等よりなる反射シート１４が配置され、上記背面１３ｃより漏出した光を光出射面１３ｂより出射させるようになっている。反射シート１４は発光素子１１及び第２導光体１２の背面側にも配置されていることが好ましく、また、第２導光体１２及び第１導光体１３の端面に対しても対向して設けられていることが望ましい。
【００２１】
上記発光素子１１、第２導光体１２及び第１導光体１３はアルミニウム等の熱伝導率の良好な放熱体（背面シャーシ）１５により支持されている。放熱体１５は上記発光素子１１、第２導光体１２及び第１導光体１３の背面及び側面を覆い、少なくとも光出射面１３ｂを露出させる開口部を有するケース状に構成され、上記発光素子１１、第２導光体１２及び第１導光体１３を収容するように構成されていることが好ましい。
【００２２】
発光素子１１の上記光放出面１１ａの反対側には実装面１１ｂが設けられ、発光素子１１は、当該実装面１１ｂが光源基板１６に向く姿勢で光源基板１６上に実装されている。光源基板１６は熱伝導テープ、放熱グリス、熱伝導ラバー等よりなる熱伝導性部材１７を介して放熱体１５の側板部１５ｓの内面に熱接触している。特に、光源基板１６は放熱体１５に対して熱伝導性部材１７等による接着等により固定されていることが好ましい。
【００２３】
本実施形態において、単一の発光素子１１から放出された光は第２導光体１２によって幅方向Ｗに延長された光源（線状光源）となって幅方向Ｗに対して交差（図示例では直交）する伝播方向Ｆに光を出射され、さらに第２導光体１２から出射した光は第１導光体１３に入射して伝播方向Ｆへ伝播し、幅方向Ｗ及び伝播方向Ｆに対して交差（図示例では直交）する光出射方向へ出射され、これによって第１導光体１３は面状光源となる。このように構成されていることにより、複数の発光素子間の輝度や色度のばらつきに起因する照明光の輝度や色度の不均一性を回避できるとともに、発光素子と発光エリアとの距離に起因する輝度の不均一性をも回避することができる。したがって、発光素子１１の発光特性、並びに、第２導光体１２及び第１導光体１３の導光特性に起因する照明光の不均一性を低減することができる。
【００２４】
また、本実施形態において、発光素子１１は光放出面１１ａの反対側の実装面１１ｂが光源基板１６及び熱伝導部材１７を介して放熱体１５に熱接触しているため、発光素子１１で発生した熱が効率的に放熱体１５へと伝えられる。具体的には、発光素子１１の内部には図示しない発光部（例えば、ＬＥＤや有機ＥＬであれば発光層）が実装面１１ｂに近い箇所に固定配置されており、発光部の熱が実装面１１ｂから効率的に放出されるようになっている。また、発光素子１１は照明装置１０の上記幅方向Ｗ及び伝播方向Ｆに沿った平面範囲の角部に配置され、当該角部において放熱体１５と熱接触している。これによって発光素子１１で発生した熱が放熱体１５の角部から効率的に外部へと放散される。したがって、発光素子１１の環境温度の上昇が抑制されるため、熱による発光素子１１の劣化、或いは、熱による輝度や色度の経時変化を低減することができる。
【００２５】
さらに、本実施形態においては、光放出面１１ａの反対側に実装面１１ｂを備えた発光素子１１（いわゆるトップビュータイプの発光素子）を用いていることにより、発光素子１１自体の放熱性を高めることができるため、発光量の大きな素子、例えばパワーＬＥＤ（消費電力が０．５Ｗを越えるもの、例えば、０．５〜１．０Ｗ）を用いることができるなど、単一の発光素子１１でも充分な輝度を得ることができる。図示例の発光素子１１は、発光部（発光層）を構成するチップがアルミニウム等よりなる支持基板（フレーム）上に実装され、この支持基板の外面が上記実装面１１ｂ又はその背後の支持面を構成している表面実装型の発光素子である。このタイプの発光素子では光の放射方向（図示の幅方向Ｗ）に見た厚みを薄くすることができるので、図示例のように幅方向Ｗに見て第１導光体１３の端部よりも外側に発光素子１１が配置されている場合でも、発光素子１１の厚みによる照明装置１０の外形寸法の増大を抑制できるという利点がある。
【００２６】
図２は、上記実施形態と基本的に同様の構成を有する他の実施形態を示す平面図である。図１に示す実施形態では第２導光体１２が第１導光体１３の短辺に沿って配置され、上記幅方向Ｗが第１導光体１３の短辺に沿った方向、上記伝播方向Ｆが第１導光体１３の長辺に沿った方向とされているが、この実施形態では、第２導光体１２が第１導光体１３の長辺に沿って配置され、幅方向Ｗが第１導光体１３の長辺に沿った方向、伝播方向Ｆが第１導光体１３の短辺に沿った方向とされている。このような構成であっても、上述の作用効果については全く同様に奏される。
【００２７】
図３はさらに異なる実施形態を示す平面図である。この実施形態では、上記各実施形態の第２導光体１２に相当する第２導光部１８Ａと、上記第１導光体１３に相当する第１導光部１８Ｂとを一体に備えた導光体１８が設けられている。導光体１８はアクリル樹脂やポリカーボネート樹脂等の透明素材よりなる。第２導光部１８Ａは、発光素子１１から放出される光を幅方向Ｗに分散させて伝播方向Ｆへ出射し、第１導光部１８Ｂは第２導光部１８Ａから入射し伝播方向Ｆへ伝播する光を伝播方向に分散させて光出射方向へ面状光源として出射する点では上記実施形態と同様である。本実施形態では、第２導光部１８Ａと第１導光部１８Ｂとが一体に構成されているので、部品点数が削減されるとともに、第２導光部１８Ａと第１導光部１８Ｂとの間で生ずる光学損失も低減される。
【００２８】
［液晶表示体］
図４は上記各実施形態に用いることのできる液晶表示体２０の構造を示す概略断面図である。液晶表示体２０は、ガラスやプラスチック等よりなる透明基板２１、２２をシール材２３で貼り合わせてなり、両基板間に液晶２４を封入したものである。透明基板２１、２２の内面上にはそれぞれ電極２１ａ、２２ａが形成され、これらの電極２１ａと２２ａの対向する平面領域が画素領域となる。一方の基板上には画素領域に合わせて形成された着色層を備えたカラーフィルタ２２ｃ（図示例では透明基板２２上に形成されている。）が設けられている。また、透明基板２１，２２の上記液晶２４に接する表面には配向膜２１ｄ、２２ｄが形成される。さらに、液晶表示体２０の透明基板２１，２２の外面上には偏光板２５，２６が配置（貼着）されている。
【００２９】
透明基板２１には透明基板２２と対向する領域から外側へ張り出した基板張出部２１Ｔが設けられ、この基板張出部２１Ｔ上には必要に応じて集積回路チップ等の電子部品２７が実装される。この電子部品２７は例えば液晶駆動回路が構成されたＩＣである。また、基板張出部２１Ｔ上にはフレキシブル配線基板（ＦＰＣ）等よりなる配線基板３０の端部３１が実装されている。配線基板３０は液晶表示体２０に対して駆動電位や信号データ等を供給するためのものである。
【００３０】
［液晶装置］
上記の液晶表示体２０は、先に説明した照明装置１０の第１導光体１３若しくは第１導光部１８Ｂの光出射面上に表示領域ＡＤが重なる態様で配置され、照明装置１０の照明光の透過率を上記画素ごとに制御することで、所定の画像を表示する。したがって、上記照明装置１０の照明エリアＡＬ内の輝度及び色度のばらつきが低減されることで、表示領域ＡＤにおいて表示される画像の品位が向上する。また、上記照明装置１０の熱による劣化、或いは、熱による輝度及び色度の経時変化が抑制されることで、上記画像の品位が安定する。さらに、発光素子１１の輝度を高めることができるので、輝度及び色度のばらつきを低減しつつ明るい画像を実現できる。しかも、発光素子１１の発熱による温度上昇が放熱性の向上によって抑制されるため、熱に起因する画質への影響も低減できる。
【００３１】
［実施例］
次に、図５乃至図１１を参照して上記実施形態の構成を有するより具体的な実施例の構造について詳細に説明する。この実施例の照明装置１０において、先の実施形態と対応する部分には同一符合を付し、共通する構成については詳細な説明を省略する。図５は照明装置１０の分解斜視図、図６は一部を切り欠いて示す概略斜視図、図７は背面側を示す概略斜視図である。
【００３２】
照明装置１０は、上記の発光素子１１、第２導光体１２、第１導光体１３、反射シート１４、放熱体１５、光源基板１６、熱伝導部材１７を備えるとともに、第１導光体１３の光出射面１３ｂの前面側（観察側）に、光拡散板ＯＰ１、集光シートＯＰ２、ＯＰ３、反射偏光板ＯＰ４等の光学シートが重ねて配置されている。なお、図８はこれらの光学シートの配列をより詳細に示す断面図である。ここで、光拡散板ＯＰ１は、光散乱機能を有する合成樹脂シート等で構成され、第１導光体１３の光出射面１３ｂから出射される照明光を拡散させて照明光の面内輝度の均一性を高める機能を有する。また、上記集光シートＯＰ２、ＯＰ３は前面側に頂角８０〜９０度の断面三角形（好ましくは直角二等辺三角形）状のプリズム構造ＰＺを周期的に形成し全体としてストライプ状に構成してなるプリズムシートであり、当該プリズム構造ＰＺの延在方向が相互に直交する方位となるように配置されている。
【００３３】
さらに、反射偏光板ＯＰ４は、第１導光体１３の光出射面１３ｂより出射される照明光のうち所定方位に向いた偏光軸を有する第１の偏光成分を透過するとともに、前記所定方位と直交する偏光軸を有する第２の偏光成分を反射する機能を有している。そして、上記照明光のうち第１の偏光成分を透過させて放出し、第２の偏光成分を反射して一旦第１の導光体１３側へ戻すが、反射シート１４等によって再び戻ってやがて第１の偏光成分となったものを透過させて放出する。したがって、この反射偏光板ＯＰ４を配置することで第１の偏光成分を照明光として放射することが可能になるとともに、通常の吸収型の偏光板を配置する場合よりも光の利用効率を向上させ、輝度レベルを高めることができる。なお、この反射偏光板ＯＰ４は図４に示す液晶表示体２０の偏光板２５の代わりに、或いは、偏光板２５とともに用いることができる。したがって、反射偏光板ＯＰ４は照明装置１０としては必須の構成ではなく、照明光として偏光を要しない場合には省略することができる。
【００３４】
上記の各構成部材は前面側から合成樹脂やステンレス鋼等よりなるフレーム１９で覆われる。このフレーム１９は上記各部材を収容した状態で放熱体１５に固定される。フレーム１９には、第１導光体１３の光出射面１３ｂの所定範囲に設定される照明エリアＡＬを少なくとも光学的に露出させる開口エリア１９ａが設けられている。そして、フレーム１９と放熱体１５によって上記の各構成部材が上下方向に収容保持されるようになっている。
【００３５】
放熱体１５は、発光素子１１、第２導光体１２及び第１導光体１３を背後から支持する底板部１５ａと、これらの周囲を側方から覆う側板部１５ｓとを有し、全体として前方が開口した箱状（ケース状）に構成されている。また、放熱体１５の上記発光素子１１が配置される側板部１５ｓの角部に隣接する底板部１５ａの角部には開口部１５ｂが形成され、この開口部１５ｂを通して発光素子１１が実装されてなる光源基板１６が放熱体１５の背面側に導出されている。図示例の場合、光源基板１６は放熱体１５の外側で底板部１５ａの背面に沿って延在するように配置されている。
【００３６】
放熱体１５の内側には上記反射シート１４が配置され、この反射シート１４は、第２導光体１２及び第１導光体１３の背面側に配置される底部１４ａと、この底部１４ａの周囲から折り曲げ等によって立設された側部１４ｓとを有し、上記発光素子１１が配置された角部に相当する底部１４ａ及び側部１４ｓの一部には切り欠き部１４ｔが設けられている。
【００３７】
本実施形態では、放熱体１５がケース状に構成されているので、放熱面積の増大により放熱効率を高めることができると同時に、上記各構成部材を収容し、必要に応じて適宜に位置決めすることが可能になる。また、放熱体１５における発光素子１１が熱接触している箇所に隣接する部分に開口部１５ａが形成され、この開口部１５ａを通して光源基板１６が放熱体１５の背面側に導出されているので、放熱性を極力低下させずに発光素子１１に対する外部からの電力供給を確保することができる。上記の開口部１５ａは図示例のように開口孔形状となっている必要はなく、例えば、切り欠き状に構成されていてもよい。ただし、開口部１５ａの周囲が閉じた開口孔形状となっていることにより、熱伝導を妨げにくくなるため、放熱効率の低下を抑制できる。
【００３８】
図９は、上記実施例において用いることのできる光学シートの配置態様の別の構成例を示す概略断面図である。この構成例では、上述の第１導光体１３の光出射面１３ｂ上に集光シートＯＰ５が配置され、この集光シートＯＰ５上にさらに光拡散板ＯＰ６が配置される。光拡散板ＯＰ６は省略することも可能である。集光シートＯＰ５は、第２導光体１３側に突出したプリズム構造ＰＺ′を有した透明シートで構成されている。プリズム構造ＰＺ′は頂角７０〜８０度の断面三角形状に構成されている。また、プリズム構造ＰＺ′は上記伝播方向Ｆと直交する方向に延在する姿勢で周期的に形成され、全体としてストライプ状に構成されている。この集光シートＯＰ５は、第１導光体１３の光出射面１３ｂから出射する比較的大きな出射角（光出射面の法線に対する角度）を有する光を上記プリズム構造ＰＺ′により光出射面１３ｂの法線方向寄りに屈折させ、照明光の出射角を小さくする集光機能がより高いものとなっている。
【００３９】
上記の光学シート構成では、本実施例の照明装置１０による輝度及び色度の均一性をより効果的に利用することができる。すなわち、本実施例では、照明光の輝度及び色度の均一性が高いため、第１導光体１３側に突出したプリズム構造ＰＺ′を備えた集光シートＯＰ５でも輝度ムラや色ムラが生じにくい。一方、この集光シートＯＰ５では図８に示す集光シートＯＰ２，ＯＰ３よりも大きな出射角の照明光をも効率的に集光することができるので、光の利用効率を高めることができるため、単一の発光素子１１であっても照明光の明るさを確保することが可能になる。
【００４０】
図１０は上記実施例の照明装置１０に図４に示すものと同様の液晶表示体２０を装着してなる液晶装置１００を一部切り欠いた状態で示す概略斜視図、図１１は同液晶装置１００を背面側から見た概略斜視図である。実施例の液晶装置１００では、液晶表示体２０はフレーム１９の開口エリア１９ａ（照明エリアＡＬ）上に表示領域ＡＤが重なるように配置される。液晶表示体２０には配線基板３０の一方の端部３１が実装され、この配線基板３０の他方の端部３２は照明装置１０の背後（放熱体１５の底板部１５ａの背面上）に配置された制御回路基板３３に実装されている。この制御回路基板３３には、放熱体１５の背面側に導出された光源基板１６も実装されている。なお、制御回路基板３３には図示しない電子部品が実装されているが、図示を省略してある。
【００４１】
本実施例において、配線基板３０はフレーム１９及び放熱体１５の側部の外側を通過して背面側に延在している。そして、発光素子１１が収容されている照明装置１０の角部は、配線基板３０が通過する範囲の外側に配置されている。すなわち、配線基板３０は照明装置１０の上記角部を避けて背面側に延在している。これによって、発光素子１１が発し放熱体１５に伝達された熱は、配線基板３０によって放熱体１５からの放散が妨げられるといったことが生じないため、放熱性を充分に確保することができる。
【００４２】
［電子機器］
最後に、図１７を参照して上記液晶装置を搭載した電子機器の実施形態について説明する。図１７は本発明に係る電子機器の一例の外観を示す概略斜視図である。図示例の電子機器１０００は、車載用のカーナビゲーションシステムであり、本体１０１０と、この本体１０１０に接続された表示部１０２０とを備えている。本体１０１０には操作ボタン等を配設した操作面１０１１が設けられるとともに、ＤＶＤ等の記録媒体の導入口１０１２が設けられている。表示部１０２０の内部には上記の液晶装置１００が格納され、この液晶装置１００による表示、すなわち、ナビゲーション画像の表示が表示部１０２０の表示画面１０２０ａにて視認できるように構成されている。
【００４３】
この電子機器１０００においては、上記の液晶装置１００が搭載されていることで、表示画面から出射される表示光の輝度及びその分布のばらつきが低減されるため、高い表示品位を実現することができる。また、熱による影響が小さくなるので、明るさや色の安定性、信頼性の高い表示態様を確保することができる。
【００４４】
尚、本発明の照明装置、液晶装置及び電子機器は、上述の図示例にのみ限定されるものではなく、本発明の要旨を逸脱しない範囲内において種々変更を加え得ることは勿論である。例えば、上記の照明装置は、上述のように液晶装置に搭載されるものに限らず、単独の照明器具として用いるものであってもよく、或いは、液晶装置以外の他の種々の装置と一体的に用いられるものであってもよい。
【図面の簡単な説明】
【００４５】
【図１】照明装置の実施形態を示す概略平面図。
【図２】照明装置の他の実施形態を示す概略平面図。
【図３】照明装置の別の実施形態を示す概略平面図。
【図４】液晶表示体の例を示す概略縦断面図。
【図５】照明装置の実施例の分解斜視図。
【図６】照明装置の実施例の一部を切り欠いて示す概略斜視図。
【図７】照明装置の実施例の背面を示す概略斜視図。
【図８】照明装置の実施例の光学シートの配列態様を示す概略断面図。
【図９】照明装置の実施例の光学シートの他の配列態様を示す概略断面図。
【図１０】液晶装置の実施例の一部を切り欠いて示す概略斜視図。
【図１１】液晶装置の実施例の背面を示す概略斜視図。
【図１２】照明装置の比較例を示す概略平面図。
【図１３】照明装置の他の比較例を示す概略平面図。
【図１４】照明装置の別の比較例を示す概略平面図。
【図１５】液晶装置の比較例を示す概略平面図。
【図１６】液晶装置の比較例を示す概略縦断面図。
【図１７】液晶装置の実施例を搭載した電子機器を示す概略斜視図。
【符号の説明】
【００４６】
１０…照明装置、１１…発光素子、１１ａ…光放出面、１１ｂ…実装面、１２…第２導光体、１３…第１導光体、１４…反射シート、１５…放熱体、１５ａ…開口部、１６…光源基板、１７…熱伝導部材、１８…導光体、１８Ａ…第２導光部、１８Ｂ…第１導光部、１９…フレーム、１９ａ…開口エリア、２０…液晶表示体、２１，２２…透明基板、２３…シール材、２４…液晶、２７…電子部品、３０…配線基板、３３…制御回路基板、１００…液晶装置
【図１】
2008047481.tif 000003
【図２】
2008047481.tif 000004
【図３】
2008047481.tif 000005
【図４】
2008047481.tif 000006
【図５】
2008047481.tif 000007
【図６】
2008047481.tif 000008
【図７】
2008047481.tif 000009
【図８】
2008047481.tif 000010
【図９】
2008047481.tif 000011
【図１０】
2008047481.tif 000012
【図１１】
2008047481.tif 000013
【図１２】
2008047481.tif 000014
【図１３】
2008047481.tif 000015
【図１４】
2008047481.tif 000016
【図１５】
2008047481.tif 000017
【図１６】
2008047481.tif 000018
【図１７】
2008047481.tif 000019